(57)【要約】      （修正有）【課題】着脱可能な光線療法ベルトを提供する。【解決手段】互いに相対して設けられる第１表面１１１及び第２表面１１２を有する回路基板１１と、回路基板の第１表面に設けられる複数の発光素子１２と、接触面１３１と、接触面と相対して回路基板の第１表面に接合される接合面１３２と、接触層を貫通し、複数の発光素子の位置に対応して設けられる複数の孔１３３と、を有する接触層１３と、回路基板の第２表面が固定される固定面１４１を有する固定部材１４と、を含む。接触層の接触面が所定の人体部位に接触し、接触層の接合面が回路基板の第１表面から取り外し可能である。【選択図】図１Ａ
0003233626.tif 000002
【実用新案登録請求の範囲】
【請求項１】
互いに相対して設けられる第１表面及び第２表面を有する回路基板と、
前記回路基板の前記第１表面に設けられる複数の発光素子と、、
接触層であって、接触面と、前記接触面と相対して前記回路基板の前記第１表面に接合される接合面と、前記接触層を貫通し、前記複数の発光素子の位置に対応して設けられる複数の孔と、を有する前記接触層と、
前記回路基板の前記第２表面が固定される固定面を有する固定部材と、を含み、
前記接触層の前記接触面が所定の人体部位に接触し、前記接触層の前記接合面が前記回路基板の前記第１表面から取り外し可能である、着脱可能な光線療法ベルト。
【請求項２】
前記回路基板はフレキシブル回路基板である、請求項１に記載の着脱可能な光線療法ベルト。
【請求項３】
前記複数の発光素子は、赤外線発光ダイオードである、請求項１に記載の着脱可能な光線療法ベルト。
【請求項４】
前記接触層は、
前記接触面である正面と前記正面に相対する裏面とを有する洗浄交換用布と、
前記洗浄交換用布の前記裏面が着脱可能に貼り付けられ、第２貼り付け面に相対する第１貼り付け面と、前記接合面である前記第２貼り付け面とを有する第１粘着布と、を含む、請求項１に記載の着脱可能な光線療法ベルト。
【請求項５】
前記固定部材と前記回路基板との間に設けられ、互いに相対する第１貼り付け面及び第２貼り付け面を有する第２粘着布を更に含み、
前記回路基板の前記第２表面が前記第２粘着布の前記第１貼り付け面に固定され、前記第２粘着布の前記第２貼り付け面が前記固定部材の前記固定面に固定される、請求項４に記載の着脱可能な光線療法ベルト。
【請求項６】
前記回路基板、前記第１粘着布及び前記第２粘着布は、縫い糸によって固定される、請求項５に記載の着脱可能な光線療法ベルト。
【請求項７】
前記固定部材は、前記固定部材の前記固定面の第１端に設けられるフック部と、前記固定部材の表面の第２端に設けられるループ部とを含み、前記固定面は前記表面に相対する、請求項１に記載の着脱可能な光線療法ベルト。
【請求項８】
前記人体部位は、四肢の関節、腰部、背部及び肩・首部を含む、請求項１に記載の着脱可能な光線療法ベルト。
【請求項９】
前記回路基板に電気的に接続され、前記複数の発光素子の導通及び遮断を制御する電源ボタンを更に含む、請求項１に記載の着脱可能な光線療法ベルト。
【請求項１０】
外部電源に電気的に接続される電源接続ポートを更に含む、請求項１に記載の着脱可能な光線療法ベルト。
【請求項１１】
前記電源接続ポートは、ＵＳＢ  Ｔｙｐｅ−Ｃの規格である、請求項１０に記載の着脱可能な光線療法ベルト。
【請求項１２】
前記赤外線発光ダイオードから発する波長は、６６０±１０ｎｍの範囲にある、請求項３に記載の着脱可能な光線療法ベルト。
【請求項１３】
前記赤外線発光ダイオードから発する波長は、８５０±１０ｎｍの範囲にある、請求項３に記載の着脱可能な光線療法ベルト。
【請求項１４】
一部の前記赤外線発光ダイオードから発するされる波長は、６６０±１０ｎｍの範囲にあり、他の一部の前記赤外線発光ダイオードから発する波長は、８５０±１０ｎｍの範囲にある、請求項３に記載の着脱可能な光線療法ベルト。
【請求項１５】
発する波長が６６０±１０ｎｍの範囲にある前記赤外線発光ダイオードと、発する波長が８５０±１０ｎｍの範囲にある前記赤外線発光ダイオードとが、交替して離間するように前記回路基板に設けられる、請求項１４に記載の着脱可能な光線療法ベルト。
【考案の詳細な説明】
【技術分野】
【０００１】
本考案は、光線療法ベルト、特に着脱可能な光線療法ベルトに関する。
【背景技術】
【０００２】
現在、多くの人々は仕事が忙しいためにオフィスで長時間に座らなければならなく、それにより体内の血液循環が悪化し、この状況が進んでいくと、人体の健康に悪影響を与える恐れがある。
【０００３】
また、近年の異常気象により、例年に比べれば冬は気温が低くなることが多く、これに対して、人々は、衣服を着用することで体を暖かくしたり、カイロを使って体に熱を与えて体の血液循環を促進したりしかできない。しかしながら、衣服だけでは暖かくするに十分とは言えなく、これに加えて、体に接して使用するカイロは、値段が高いだけでなく、血液循環の促進効果が悪い上、再利用もできないので、環境を汚染してしまうといった問題を有する。
【０００４】
したがって、上記問題を解決できる装置の研究開発は、今や最も重要な課題となっている。
【考案の概要】
【０００５】
本考案は上記問題に鑑みてなされたものであり、互いに相対して設けられる第１表面及び第２表面を有する回路基板と、回路基板の第１表面に設けられる複数の発光素子と、接触層であって、接触面と、接触面と相対して回路基板の第１表面に接合される接合面と、接触層を貫通し、複数の発光素子の位置に対応して設けられる複数の孔と、を有する接触層と、回路基板の第２表面が固定される固定面を有する固定部材と、を含み、接触層の接触面が所定の人体部位に接触し、接触層の接合面が回路基板の第１表面から取り外し可能である、着脱可能な光線療法ベルトを提供する。
【０００６】
上述のように、本考案に係る着脱可能な光線療法ベルトは、赤外線波長を発するする発光ダイオードが設けられる柔軟なフレキシブル回路基板が採用され、又、回路基板に快適で通気性がよく、且つ弾力性のある布が接合されるように構成されるため、着用する際、フック部又は伸縮性バンドを固定すればよく、気候や温度による使い勝手への影響がないので、人体のあらゆる部位に適用できる。又、体と接触する接触面が汚れても、簡単に取り外して洗浄または交換できるため、捨てることなく有効に再利用できる。なお、本考案に係る着脱可能な光線療法ベルトは、内蔵バッテリーを必要としなく、ＤＣ５Ｖ／２Ａ交流電源及びポータブル電源装置に広く用いられる隠蔽型のＵＳＢ  Ｔｙｐｅ−Ｃコネクタが使用されているので、繰り返して充電して使用でき、利便性が高められ、更に、薄肉でコンパクトなデザインにすることができる。
【図面の簡単な説明】
【０００７】
【図１Ａ】図１Ａは、本考案に係る着脱可能な光線療法ベルトの分解図及び側面図である。
【図１Ｂ】図１Ｂは、本考案に係る着脱可能な光線療法ベルトの分解図及び側面図である。
【図２Ａ】図２Ａは、それぞれ着脱可能な光線療法ベルトの別の実施例の斜視図及び分解図である。
【図２Ｂ】図２Ｂは、それぞれ着脱可能な光線療法ベルトの別の実施例の斜視図及び分解図である。
【図２Ｃ】図２Ｃは、図２Ａ及び図２Ｂに示す着脱可能な光線療法ベルトの別の実施例の断面図である。
【図３Ａ】図３Ａは、電源ボタン及び電源接続ポートを含む着脱可能な光線療法ベルトの模示図である。
【図３Ｂ】図３Ｂは、電源ボタン及び電源接続ポートを含む着脱可能な光線療法ベルトの模示図である。
【図４】図４は、本考案に係る着脱可能な光線療法ベルトの使用模式図である。
【図５Ａ】図５Ａは、電源モジュール及び制御回路を含む本考案に係る着脱可能な光線療法ベルトの別の実施例の模式図である。
【図５Ｂ】図５Ｂは、図５Ａに示す本考案に係る着脱可能な光線療法ベルトの別の実施例の使用模式図である。
【考案を実施するための形態】
【０００８】
図１Ａ及び図１Ｂは、それぞれ本考案に係る着脱可能な光線療法ベルトの分解図及び側面図である。着脱可能な光線療法ベルト１は、回路基板１１、複数の発光素子１２、接触層１３を含む。回路基板１１は、第１表面１１１及び第２表面１１２を有する。複数の発光素子１２は、回路基板１１の第１表面１１１に設けられている。接触層１３は、接触面１３１、接合面１３２、発する複数の孔１３３を有し、接合面１３２は、接触面１３１と相対して回路基板１１の第１表面１１１に接合される。複数の孔１３３は、接触層１３を貫通し、回路基板１１に設けられる複数の発光素子１２の位置に対応して設けられ、複数の発光素子１２より発する光線は、複数の孔１３３から出射される。固定部材１４は、回路基板１１の第２表面１１２が固定される固定面１４１を有するとともに、回路基板１１の第１表面と第２表面とは相対して設けられている。本考案に係る光線療法ベルト１は、接触層１３の接触面１３１で人体部位に接触し、接触層１３の接合面１３２が回路基板１１の第１表面１１１から取り外し可能である。
【０００９】
本考案の実施例において、回路基板１１はフレキシブル回路基板であり、これにより、着脱可能な光線療法ベルト１は人体に着用される時、曲げられて体に固定されることができる。
【００１０】
本考案の実施例において、複数の発光素子１２は、赤外線発光ダイオードであり、赤外線から発するされる波長は、６６０±１０ｎｍの範囲、又は８５０±１０ｎｍの範囲にある。即ち、複数の発光素子１２は、６６０±１０ｎｍ及び８５０±１０ｎｍの２種類の波長を同時に発することができる赤外線発光ダイオードからなるものであるか、又は、６６０±１０ｎｍの波長のみ、或いは８５０±１０ｎｍの波長のみを発する発することができる２種類の異なる赤外線発光ダイオードからなるものであるかは、本考案では限定されない。
【００１１】
図２Ａ及び図２Ｂは、それぞれ着脱可能な光線療法ベルトの別の実施例の斜視図及び分解図である。該実施例において、接触層１３は、洗浄交換用布１３Ａ及び第１粘着布１３Ｂを含む。洗浄交換用布１３Ａは、接触面１３１である正面１３１Ａと正面１３１Ａに相対する裏面１３２Ａとを有する。第１粘着布１３Ｂは、洗浄交換用布１３Ａの裏面１３２Ａが取り外し可能に貼り付けられ、第２貼り付け面１３２Ｂに相対する第１貼り付け面１３１Ｂと、接合面１３２である第２貼り付け面１３２Ｂとを有する。本考案の実施例において、第１粘着布１３Ｂは弾力性のある材質であり、又、第１粘着布１３Ｂの第２貼り付け面１３２Ｂを介して回路基板１１の第１表面１１１に貼り付けられると共に、第１貼り付け面１３１Ｂを介して洗浄交換用布１３Ａの裏面１３２Ａに着脱可能に貼り付けられ、これにより、洗浄交換用布１３Ａが汚れた場合、第１粘着布１３Ｂから取り外して洗浄することができる。
【００１２】
図２Ｂ及び図２Ｃを共に参照し、図２Ｃは、図２Ａ及び図２Ｂに示す着脱可能な光線療法ベルトの実施例の断面図である。洗浄交換用布１３Ａ及び第１粘着布１３Ｂは、それぞれ複数の孔１３３Ａ、１３３Ｂを有し、孔１３３Ａ、１３３Ｂのそれぞれは、洗浄交換用布１３Ａ及び第１粘着布１３Ｂを貫通し、回路基板１１上の複数の発光素子１２の位置に対応して設けられ、又、孔１３３の深さは、発光素子１２の高さより高いため、本考案に係る着脱可能な光線療法ベルト１の使用時、発光素子１２が皮膚に直接に接触することで生じる灼熱感を避けることができる。
【００１３】
再び図２Ａ〜図２Ｃを参照する。着脱可能な光線療法ベルト１は、固定部材１４と回路基板１１との間に設けられ、互いに相対する第１貼り付け面１５１及び第２貼り付け面１５２を有する第２粘着布１５を更に含み、回路基板１１の第２表面１１２が第２粘着布１５の第１貼り付け面１５１に固定され、第２粘着布１５の第２貼り付け面１５２が固定部材１４の固定面１４１に固定されている。なお、本考案の一実施例において、回路基板１１、第１粘着布１３Ｂ及び第２粘着布１５は、縫い糸によって固定されることができ、これにより、回路基板１１上の発光素子１２及び他の電子素子が保護され、更に、第１粘着布１３Ｂ及び第２粘着布１５が回路基板１１の第１表面１１１及び第２表面１１２から脱落することが避けられる。
【００１４】
図３Ａ及び図３Ｂを参照し、図３Ａ及び図３Ｂは、電源ボタン及び電源接続ポートを含む着脱可能な光線療法ベルトの模式図である。着脱可能な光線療法ベルト１は、電源接続ポート１７と、回路基板１１及び電源接続ポート１７に電気的に接続され、複数の発光素子１２の導通及び遮断を制御する電源ボタン１６と、を更に含む。本考案の実施例において、電源ボタン１６は、固定面１４１に相対する固定部材１４の表面１４２に設けられ、又は、回路基板１１に設けられてもよく、これにより、ユーザが着脱可能な光線療法ベルト１を体に固定した場合、電源ボタン１６を押して制御することができる。電源接続ポート１７は、固定部材１４の表面１４２、又は回路基板１１に設けられ、且つ外部電源に電気的に接続されることができる。本考案の実施例において、電源接続ポート１７はＵＳＢ  Ｔｙｐｅ−Ｃの規格であり、且つポータブル電源に接続されて電力を回路基板１１上の発光素子１２に供給することができる。
【００１５】
図１Ｂ及び図４を参照し、図４は、本考案に係る着脱可能な光線療法ベルトの使用模式図である。図１Ｂにおいて、固定部材１４は、固定面１４１に設けられ、固定部材１４の一方の端に位置するフック部１４４と、固定部材１４の表面１４２に設けられ、固定部材１４の他方の端に設けられるループ部１４３とを含む。図４において、着脱可能な光線療法ベルト１の使用時、ユーザは、着用しようとする人体部位に応じてフック部１４４とループ部１４３との相対位置を調整することにより、着脱可能な光線療法ベルト１を、固定部材１４を介して四肢の関節、腰部、背部又は肩・首部等の人体部位に固定すると共に、電源接続ポート１７を外部電源Ｅに接続する。なお、本考案の別の実施例において、フック部１４４の代わりに、固定部材１４を調整する手段として機能する伸縮性バンドを採用してもよい。
【００１６】
図５Ａを参照し、図５Ａは、電源モジュール、制御回路を含む本考案に係る着脱可能な光線療法ベルトの別の実施例の模式図であり、図５Ｂは、図５Ａの使用模式図である。該実施例において、取り外し可能な光線療法ベルト１は、発光素子１２Ａと、発光素子１２Ｂと、回路基板１１及び電源モジュール１８に電気的に接続され、複数の発光素子１２Ａ、発光素子１２Ｂの導通及び遮断を制御する電源ボタン１６と、を含む。発光素子１２Ａと発光素子１２Ｂはそれぞれ、６６０±１０ｎｍの波長の赤外線及び８５０±１０ｎｍの波長の不可視光線を発し、交替して離間するように回路基板１１に設けられている。又、上記実施例との相違点は、この実施例において、外付け電源を必要としなく、独立な電源モジュール１８を設けることにより、発光のための電力を発光素子１２Ａ、発光素子１２Ｂに供給できることにある。
【００１７】
なお、制御回路１９は、発光素子１２Ａ、発光素子１２Ｂ及び電源モジュール１８に電気的に接続されるデータ記憶モジュール１９Ａとデータ伝送モジュール１９Ｂと、を更に含み、データ記憶モジュール１９Ａは、発光素子１２Ａ及び発光素子１２Ｂの発光時間を記憶し、データ伝送モジュール１９Ｂは、データ記憶モジュール１９Ａに電気的に接続され、ユーザの使用による発光素子１２Ａ及び発光素子１２Ｂの発光時間をクラウドインターネット、スマートデバイス又はパーソナルコンピュータに伝送することにより、ユーザが着脱可能な光線療法ベルト１の状態を検索して取得することができる。
【００１８】
上述と同様に、図５Ｂの使用模式図に示すように、着脱可能な光線療法ベルト１の使用時、ユーザは、着用しようとする体の部位に応じてフック部１４４とループ部１４３との相対位置を調整することにより、着脱可能な光線療法ベルト１を、固定部材１４を介して四肢の関節、腰部、背部又は肩・首部等の人体部位に固定する。又は、フック部１４４の代わりに、固定部材１４を調整する手段として機能する伸縮性バンドを採用してもよい。
【００１９】
本考案の別の実施例において、電源モジュール１８及び電源接続ポート１７との両方を設けてもよく、これにより、ユーザは、外付けポータブル電源装置を電源接続ポート１７に接続して電力を回路基板１１上の発光素子１２、発光素子１２Ａ、発光素子１２Ｂに供給するか、又は独立な電源モジュール１８により発光のための電力を発光素子１２、発光素子１２Ａ、発光素子１２Ｂに提供するかを選択できる。
【００２０】
上述のように、本考案に係る着脱可能な光線療法ベルトは、赤外線波長を発する発光ダイオードが設けられる柔軟なフレキシブル回路基板が採用され、又、回路基板に快適で通気性がよく、且つ弾力性のある布が接合されるように構成されるため、着用する際、フック部又は伸縮性バンドを固定すればよく、使い勝手に気候や温度による影響が与えられないので、人体のあらゆる部位に適用できる。又、人体部位と接触する接触面が汚れた場合でも、簡単に取り外し、洗浄および交換できるため、捨てることなく有効に再利用できる。なお、本考案に係る取り外し可能な光線療法ベルトは、内蔵バッテリーを必要としなく、ＤＣ５Ｖ／２Ａ交流電源及びポータブル電源装置に広く用いられる隠蔽型のＵＳＢ  Ｔｙｐｅ−Ｃコネクタが使用されているので、繰り返して充電して使用でき、利便性が高められ、更に、薄肉でコンパクトなデザインにすることができる。
【符号の説明】
【００２１】
１  着脱可能な光線療法ベルト
１１  回路基板
１１１  第１表面
１１２  第２表面
１２、１２Ａ、１２Ｂ  発光素子
１３  接触層
１３１  接触面
１３２  接合面
１３３、１３３Ａ、１３３Ｂ  孔
１３Ａ  洗浄交換用布
１３１Ａ  正面
１３２Ａ  裏面
１３Ｂ  第１粘着布
１３１Ｂ  第１貼り付け面
１３２Ｂ  第２貼り付け面
１４  固定部材
１４１  固定面
１４２  表面
１４３  ループ部
１４４  フック部
１５  第２粘着布
１５１  第１貼り付け面
１５２  第２貼り付け面
１６  電源ボタン
１７  電源接続ポート
１８  電源モジュール
１９  制御回路
１９Ａ  データ記憶モジュール
１９Ｂ  データ伝送モジュール
Ｅ  外部電源
【図１Ａ】
0003233626.tif 000003
【図１Ｂ】
0003233626.tif 000004
【図２Ａ】
0003233626.tif 000005
【図２Ｂ】
0003233626.tif 000006
【図２Ｃ】
0003233626.tif 000007
【図３Ａ】
0003233626.tif 000008
【図３Ｂ】
0003233626.tif 000009
【図４】
0003233626.tif 000010
【図５Ａ】
0003233626.tif 000011
【図５Ｂ】
0003233626.tif 000012